(57)【特許請求の範囲】
【請求項１】
下部基板上に形成され、短軸方向隔壁と長軸方向隔壁とを有するデルタ状隔壁と、
上部基板上に設けられ、
前記長軸方向隔壁に沿って形成される走査電極ライン及び維持電極ラインと、
前記走査電極ラインから前記短軸方向隔壁に沿って直角に両方向に交互に突出するように形成される第１の突出電極と、
前記維持電極ラインから前記短軸方向隔壁に沿って直角に両方向に交互に突出し、前記第１の突出電極と向かい合うように形成される第２の突出電極と、
前記第１の突出電極と直角に連結され、前記短軸方向隔壁に隣接する放電セルに跨って形成される第１の透明電極と、
前記第２の突出電極と直角に連結され、前記短軸方向隔壁に隣接する放電セルに跨って形成される第２の透明電極と、
前記第１及び第２の突出電極と並ぶように前記下部基板上に形成され、前記デルタ状隔壁の部分より放電セルの部分がより広くなっているアドレス電極と、
を備えていることを特徴とするプラズマディスプレイパネル。
【請求項２】
前記第１及び第２の透明電極には、先端から前記短軸方向隔壁に沿った方向に形成される先端側羽根部が設けられていることを特徴とする請求項１に記載のプラズマディスプレイパネル。
【請求項３】
前記第１及び第２の透明電極には、先端から前記短軸方向隔壁に沿った方向に形成される先端側羽根部と、前記短軸方向隔壁の位置から前記短軸方向隔壁に沿った方向に形成される中央羽根部とが設けられていることを特徴とする請求項１に記載のプラズマディスプレイパネル。
【請求項４】
前記第１及び第２の透明電極は、矩形、楕円形または他の形状のホールを多数有している矩形状に形成されることを特徴とする請求項１に記載のプラズマディスプレイパネル。
【請求項５】
前記第１及び第２の透明電極は、ＩＴＯで形成されることを特徴とする請求項１に記載のプラズマディスプレイパネル。
【請求項６】
前記走査電極ライン、前記維持電極ライン及び前記第１及び第２の突出電極は、銅（Ｃｕ）、クロム（Ｃｒ）または銀（Ａｇ）のいずれかで形成されることを特徴とする請求項１に記載のプラズマディスプレイパネル。
【請求項７】
下部基板上に形成され、短軸方向隔壁と長軸方向隔壁とを有するデルタ状隔壁と、
上部基板上に設けられ、
前記長軸方向隔壁に沿って形成される走査電極ライン及び維持電極ラインと、
前記走査電極ラインから前記短軸方向隔壁に沿って直角に両方向に交互に突出するように形成される第１の突出電極と、
前記維持電極ラインから前記短軸方向隔壁に沿って直角に両方向に交互に突出し、前記第１の突出電極と向かい合うように形成される第２の突出電極と、
前記第１の突出電極と直角に連結され、前記短軸方向隔壁に隣接する放電セルに跨って矩形状に形成される第１の透明電極と、
前記第２の突出電極と直角に連結され、前記短軸方向隔壁に隣接する放電セルに跨って矩形状に形成される第２の透明電極と、
前記第１及び第２の突出電極と並ぶように前記下部基板上に形成され、前記デルタ状隔壁の部分より放電セルの部分がより広くなっているアドレス電極と、
を備えていることを特徴とするプラズマディスプレイパネル。
【請求項８】
前記矩形状の第１及び第２の透明電極は、矩形、楕円形または他の形状のホールを多数有していることを特徴とする請求項７に記載のプラズマディスプレイパネル。
【請求項９】
下部基板上に形成され、短軸方向隔壁と長軸方向隔壁とを有するデルタ状隔壁と、
上部基板上に設けられ、
前記長軸方向隔壁に沿って形成される走査電極ライン及び維持電極ラインと、
前記走査電極ラインから前記短軸方向隔壁に沿って直角に両方向に交互に突出するように形成される第１の突出電極と、
前記維持電極ラインから前記短軸方向隔壁に沿って直角に両方向に交互に突出し、前記第１の突出電極と向かい合うように形成される第２の突出電極と、
前記第１の突出電極と直角に連結され、先端から前記短軸方向隔壁に沿った方向に形成される先端側羽根部を備え、前記短軸方向隔壁に隣接する放電セルに跨って形成される第１の透明電極と、
前記第２の突出電極と直角に連結され、先端から前記短軸方向隔壁に沿った方向に形成される先端側羽部を備え、前記短軸方向隔壁に隣接する放電セルに跨って形成される第２の透明電極と、
前記第１及び第２の突出電極と並ぶように前記下部基板上に形成され、前記デルタ状隔壁の部分より放電セルの部分がより広くなっているアドレス電極と、
を備えていることを特徴とするプラズマディスプレイパネル。
【請求項１０】
下部基板上に形成され、短軸方向隔壁と長軸方向隔壁とを有するデルタ状隔壁と、
上部基板上に設けられ、
前記長軸方向隔壁に沿って形成される走査電極ライン及び維持電極ラインと、
前記走査電極ラインから前記短軸方向隔壁に沿って直角に両方向に交互に突出するように形成される第１の突出電極と、
前記維持電極ラインから前記短軸方向隔壁に沿って直角に両方向に交互に突出し、前記第１の突出電極と向かい合うように形成される第２の突出電極と、
前記第１の突出電極と連結され、先端から前記短軸方向隔壁に沿った方向に形成される先端側羽根部と、前記短軸方向隔壁の位置で前記短軸方向隔壁に沿った方向に形成される中央羽根部とを備え、前記短軸方向隔壁に隣接する放電セルに跨って形成される第１の透明電極と、
前記第２の突出電極と連結され、先端から前記短軸方向隔壁に沿った方向に形成される先端側羽部と、前記短軸方向隔壁の位置で前記短軸方向隔壁に沿った方向に形成される中央羽部とを備え、前記短軸方向隔壁に隣接する放電セルに跨って形成される第２の透明電極と、
前記第１及び第２の突出電極と並ぶように前記下部基板上に形成され、前記デルタ状隔壁の部分より放電セルの部分がより広くなっているアドレス電極と、
を備えていることを特徴とするプラズマディスプレイパネル。
【発明の詳細な説明】
【０００１】
【発明の属する技術分野】
本発明は、プラズマディスプレイパネルに関し、より詳しくは、消費電力を少なくし、かつ、放電効率を向上させることができるプラズマディスプレイパネルに関する。なお、本明細書においてデルタ状隔壁の長軸方向とはアドレス電極に直交する方向である。
【０００２】
【従来の技術】
近年、液晶表示装置（ＬＣＤ）、電界放出表示装置（ＦＥＤ）及びプラズマ表示装置（ＰＤＰ）などの平面表示装置が盛んに開発されている。
【０００３】
ＰＤＰは、Ｈｅ＋Ｘｅ又はＮｅ＋Ｘｅの不活性混合ガスの放電時に発生する１４７ｎｍの紫外線により蛍光体が発光し、文字またはグラフィックを含む画像が表示される。このようなＰＤＰは、薄型化と大型化が容易であるだけでなく、構造が複雑でなく製作が容易であり、さらに、他の平面表示装置に比べて輝度及び発光効率が高いという利点を有する。このような利点から、ＰＤＰに関する研究が盛んに行われている。
【０００４】
特に、３電極交流面放電型ＰＤＰは、放電時、表面に壁電荷が蓄積されて、放電により発生するスパッタリングから電極を保護しているため、低電圧駆動及び寿命の長期化というメリットを有している。
【０００５】
図１及び図２は従来のプラズマディスプレイパネルの隔壁構造を示すもので、図１はストライプ型隔壁構造を、図２はウェル型隔壁構造を示している。
【０００６】
同図に示したように、ＰＤＰは、上部基板１０上に対になって形成される電極、即ち、走査電極１２Ｙ及び維持電極１２Ｚと、下部基板１８上に形成されるアドレス電極１２Ｘを備えている。
【０００７】
走査電極１２Ｙと維持電極１２Ｚは、それぞれ、可視光線の透過のために、透明電極物質（Ｉｎｄｕｉｍ Ｔｉｎ Ｏｘｉｄｅ；以下、「ＩＴＯ」と略記する）で形成され、相対的に広い幅を有する透明電極１２ａと、この透明電極１２ａの抵抗成分を補償する、相対的に狭い幅を有するバス電極１２ｂとからなる。走査電極１２Ｙには、パネル走査のための走査信号と放電維持のための維持信号が供給され、維持電極１２Ｚには維持信号が供給される。
【０００８】
電極１２Ｙ、１２Ｚが形成された上部基板１０の上に上部誘電体層１４と保護膜１６とが順次に形成されている。上部誘電体層１４には、プラズマ放電時に発生した壁電荷が蓄積される。保護膜１６は、プラズマ放電時に発生したスパッタリングによる上部誘電体層１４の損傷を防止すると共に、二次電子の放出効果を向上させる作用をする。なお、保護膜１６としては、通常、酸化マグネシウム（ＭｇＯ）が用いられる。
【０００９】
アドレス電極１２Ｘは、電極１２Ｙ、１２Ｚと直交する方向に形成され、ディスプレイされる放電セルを選択するためのデータ信号が供給される。アドレス電極１２Ｘの上面には、下部誘電体層２２が形成され、誘電体層２２の上にアドレス電極１２Ｘと並んで隔壁２４ａ、２４ｂが形成される。
【００１０】
下部誘電体層２２及び隔壁２４ａ、２４ｂの表面には、蛍光体２６が塗布される。蛍光体２６は、プラズマ放電時に発生した紫外線により励起され、赤色、緑色、青色のいずれかの可視光線を発生する。上・下部基板１０、１８と隔壁２４ａ、２４ｂとの間に設けられた放電空間には、ガス放電のための不活性ガスが注入される。隔壁２４ａ、２４ｂは、アドレス電極１２Ｘと同じ方向に平行に形成され、放電により生成された紫外線及び可視光線の隣接した放電セルへの漏れを防止する。
【００１１】
一般に、ＰＤＰは、１ルーメン／Ｗの効率、４００ｃｄ／ｍ２の輝度、３００Ｗの消費電力を有する。なお、通常、家庭用ＴＶとして普及するためには、輝度が向上し、消費電力が減少する必要がある。このため、パネルの発光効率を向上させる必要がある。
【００１２】
ＰＤＰの発光効率は、次の式（１）から求められる。
η＝（π ＢＳ）／Ｐ          （１）
（式中、Ｂは輝度、Ｓは発光面積、Ｐは消費電力である。）
【００１３】
式（１）に示されたように、発光効率は、輝度Ｂと発光面積Ｓに比例し、消費電力Ｐに反比例する。したがって、ＰＤＰの発光効率を高くするためには、パネルの輝度Ｂを高くし、消費電力Ｐを減少させる必要がある。
【００１４】
以上、ストライプ型隔壁（図１）とウェル型隔壁（図２）について説明した。一般に、ストライプ型隔壁２４ａは、放電セルをストライプ形状で区分し、区分された放電セルに形成された蛍光体は、赤色、青色、緑色、赤色などの配列で分布する。なお、ストライプ型隔壁２４ａにより区分される放電セルは、横と縦の比が１：３の大きさを有する。このように、放電セルにおいて縦の長さに比べて横の長さが短いため、放電空間が小さくなり、放電効率は低くなる。即ち、ストライプ型隔壁２４ａは、排ガスは容易であるが、蛍光体２６の塗布面積が狭いため、発光効率が低いという問題がある。また、ストライプ型隔壁２４ａは、放電セルの下部に形成された蛍光体２６の面積が狭いため、可視光線が効率良く外部に出ることができないという問題がある。
【００１５】
このような問題を解決するために、放電セルを正矩形状に近い形状に区切るように提案されたウェル型隔壁２４ｂでは、蛍光体２６の塗布面積が広くなって、輝度を増加させることはできるが、排ガスが容易でないという問題がある。それで、この問題を解決するために、図３及び図４に示したデルタ状隔壁構造を有するＰＤＰが提案された。
【００１６】
同図に示したように、デルタ状隔壁２４ｃを備えたＰＤＰの放電セルは、上部基板１０上に形成される電極１２Ｙ、１２Ｚと、下部基板１８上に形成されるアドレス電極１２Ｘとを有している。
【００１７】
アドレス電極１２Ｘの形成された下部基板１８の上に設けられるデルタ状隔壁２４ｃは、一つの放電セルが六面で取り囲まれるとともに、アドレス電極の方向にはそれぞれのセルが狭いチャンネル３４で連結された構造となる。従って、チャンネル３４により放電ガスの排気または注入を容易に行うことができる。
【００１８】
電極１２Ｙ、１２Ｚは、可視光線の透過率の良好なＩＴＯで形成された透明電極１２ａと、この透明電極１２ａの高い電気抵抗を下げるための金属電極１２ｂとで構成される。このような電極１２Ｚ、１２Ｙは、全ての放電セルにおいて対称的に位置するため、ストライプ型隔壁２４ａやウェル型隔壁２４ｂの放電セルとは異なり、金属電極１２ｂが透明電極１２ａの中央に配置されている。
【００１９】
従って、放電セルは、金属電極１２ｂにより光がカットされるため、それだけ輝度が減少する。また、デルタ状隔壁２４ｃでは、ＰＤＰの高精細化に伴い、放電空間の確保が難しくなり、放電効率が減少するようになる。
【００２０】
また、透明電極１２ａの面積は、放電電圧と関連があるため、その面積が大きくなるにつれて放電に必要な放電電圧が大きくなる。そのため、消費電力が増加して発光効率が低下してしまう。したがって、透明電極の面積を減少させて放電効率を極大化することができる工夫が望まれている。
【００２１】
【発明が解決しようとする課題】
本発明は、上記のような問題を解決するためになされたもので、本発明の目的は、透明電極を隔壁の長軸方向に形成させるためのプラズマディスプレイパネルを提供することにある。
【００２２】
【課題を解決するための手段】
上記のような課題を解決するための本発明の好適な一実施態様によれば、下部基板上に形成され、短軸方向隔壁と長軸方向隔壁とを有するデルタ状隔壁と、上部基板上に設けられ、長軸方向隔壁に沿って形成される走査電極ライン及び維持電極ラインと、走査電極ラインから短軸方向隔壁に沿って直角に両方向に交互に突出するように形成される第１の突出電極と、維持電極ラインから短軸方向隔壁に沿って直角に両方向に交互に突出し、第１の突出電極と向かい合うように形成される第２の突出電極と、第１の突出電極と直角に連結され、短軸方向隔壁に隣接する放電セルに跨って形成される第１の透明電極と、第２の突出電極と直角に連結され、短軸方向隔壁に隣接する放電セルに跨って形成される第２の透明電極と、第１及び第２の突出電極と並ぶように下部基板上に形成され、デルタ状隔壁の部分より放電セルの部分がより広くなっているアドレス電極と、を備えるプラズマディスプレイパネルが提供される。
【００２３】
第１及び第２の透明電極には、先端からデルタ状隔壁の短軸方向に伸びて形成される先端側羽根部が設けられている。
【００２４】
第１及び第２の透明電極には、先端からデルタ状隔壁の短軸方向に伸びて形成される先端側羽根部と、デルタ状隔壁の位置で短軸方向に伸びて形成される中央羽根部とが設けられている。
【００２５】
第１及び第２の透明電極は、矩形、楕円形または他の形状のホールを多数有している矩形状に形成される。
【００２６】
本発明の好適な他の実施態様によれば、下部基板上に形成され、短軸方向隔壁と長軸方向隔壁とを有するデルタ状隔壁と、上部基板上に設けられ、長軸方向隔壁に沿って形成される走査電極ライン及び維持電極ラインと、走査電極ラインから短軸方向隔壁に沿って直角に両方向に交互に突出するように形成される第１の突出電極と、維持電極ラインから短軸方向隔壁に沿って直角に両方向に交互に突出し、第１の突出電極と向かい合うように形成される第２の突出電極と、第１の突出電極と直角に連結され、短軸方向隔壁に隣接する放電セルに跨って矩形状に形成される第１の透明電極と、第２の突出電極と直角に連結され、短軸方向隔壁に隣接する放電セルに跨って矩形状に形成される第２の透明電極と、第１及び第２の突出電極と並ぶように下部基板上に形成され、デルタ状隔壁の部分より放電セルの部分がより広くなっているアドレス電極と、を備えるプラズマディスプレイパネルが提供される。
【００２７】
本発明の好適なさらに他の実施態様によれば、下部基板上に形成され、短軸方向隔壁と長軸方向隔壁とを有するデルタ状隔壁と、上部基板上に設けられ、長軸方向隔壁に沿って形成される走査電極ライン及び維持電極ラインと、走査電極ラインから短軸方向隔壁に沿って直角に両方向に交互に突出するように形成される第１の突出電極と、維持電極ラインから短軸方向隔壁に沿って直角に両方向に交互に突出し、第１の突出電極と向かい合うように形成される第２の突出電極と、第１の突出電極と直角に連結され、先端から短軸方向隔壁に沿った方向に形成される先端側羽根部を備え、短軸方向隔壁に隣接する放電セルに跨って形成される第１の透明電極と、第２の突出電極と直角に連結され、先端から短軸方向隔壁に沿った方向に形成される先端側羽部を備え、短軸方向隔壁に隣接する放電セルに跨って形成される第２の透明電極と、第１及び第２の突出電極と並ぶように下部基板上に形成され、デルタ状隔壁の部分より放電セルの部分がより広くなっているアドレス電極と、を備えるプラズマディスプレイパネルが提供される。
【００２８】
本発明の好適なさらに他の実施態様によれば、下部基板上に形成され、短軸方向隔壁と長軸方向隔壁とを有するデルタ状隔壁と、上部基板上に設けられ、長軸方向隔壁に沿って形成される走査電極ライン及び維持電極ラインと、走査電極ラインから短軸方向隔壁に沿って直角に両方向に交互に突出するように形成される第１の突出電極と、維持電極ラインから短軸方向隔壁に沿って直角に両方向に交互に突出し、第１の突出電極と向かい合うように形成される第２の突出電極と、第１の突出電極と連結され、先端から短軸方向隔壁に沿った方向に形成される先端側羽根部と、短軸方向隔壁の位置で短軸方向隔壁に沿った方向に形成される中央羽根部とを備え、短軸方向隔壁に隣接する放電セルに跨って形成される第１の透明電極と、第２の突出電極と連結され、先端から短軸方向隔壁に沿った方向に形成される先端側羽部と、短軸方向隔壁の位置で短軸方向隔壁に沿った方向に形成される中央羽部とを備え、短軸方向隔壁に隣接する放電セルに跨って形成される第２の透明電極と、第１及び第２の突出電極と並ぶように下部基板上に形成され、デルタ状隔壁の部分より放電セルの部分がより広くなっているアドレス電極と、を備えるプラズマディスプレイパネルが提供される。
【００２９】
【発明の実施の形態】
以下、添付の図面に基づいて本発明の好適な実施形態について説明する。
図５は、本発明の好適な一実施形態によるプラズマディスプレイパネルの断面図で、図６は、図５に示したプラズマディスプレイパネルの電極構造を示す図である。また、図７及び図８は、それぞれ上部基板の電極構造と、下部基板の電極構造を示す図である。
【００３０】
図５〜図８に示したように、本発明の第１の実施形態によるＰＤＰは、上部基板４０に走査電極４２Ｙと維持電極４４Ｚが形成され、下部基板５０上にアドレス電極４８Ｘとデルタ状隔壁４６が形成される。
【００３１】
走査電極４２Ｙは、図７に示したように、走査電極ライン４２ａ、第１の突出電極４２ｂ及び第１の透明電極４２ｃからなる。具体的には、走査電極４２Ｙは、デルタ状隔壁４６に沿って形成される走査電極ライン４２ａと、この走査電極ライン４２ａを中心にして両方向に交互に突出するように形成される第１の突出電極４２ｂと、この第１の突出電極４２ｂと連結され、デルタ状隔壁４６を中心に隣接した放電セルに跨って形成される第１の透明電極４２ｃとを含む。
【００３２】
走査電極ライン４２ａは、デルタ状隔壁の長軸方向Ｖに沿って配列される。第１の突出電極４２ｂは、このように直線状に配列された走査電極ラインを中心にして一定の間隔でラインの両側に交互に形成される。その間隔は、本実施形態においては隔壁の短辺一つおきとされている。なお、第１の突出電極４２ｂは、デルタ状隔壁４６に沿って、すなわち隔壁とオーバーラップするように形成されるのが好ましい。
【００３３】
なお、本実施形態のデルタ状隔壁は矩形である。この矩形状構造を利用すると、走査電極ラインと第１の突出電極をデルタ状隔壁に沿って形成することができる。すなわち、放射する光と無関係に配置することができる。従って、その電極ラインと突出電極を不透明な金属とすることができる。隔壁による矩形が直線状に並ぶことになるが、本実施形態ではこの矩形が上下（図面上）のものがそれぞれ半分づつずれている。
【００３４】
このように金属電極からなる走査電極ラインと第１の突出電極を、デルタ状隔壁に沿って形成させるのは、放電セルにおいて生成された紫外線を外部にできるだけ多く透過させるためである。即ち、走査電極ラインと第１の突出電極が、放電セル内に設けられていないため、放電セルで生成された紫外線を、何等の妨害もなく外部に導くことができる。
【００３５】
第１の透明電極４２ｃは、第１の突出電極４２ｂに連結され、第１の突出電極を中心に左右（図面上）両方向に伸びるように形成される。即ち、第１の透明電極４２ｃは、デルタ状隔壁４６を中心として区分される隣接した両側の放電セルに跨って形成されている。なお、第１の透明電極４２ｃの各先端には、デルタ状隔壁の短軸方向Ｗに伸びて形成される先端側羽根部Ａ、Ａ’が設けられている。すなわち、片側のセルでは透明電極４２ｃはＴ字状に形成されている。
【００３６】
つまり、第１の透明電極４２ｃは、第１の突出電極４２ｂと直角になるように形成される。すなわち、直交させて形成させている。従って、走査電極ライン４２ａと第１の突出電極４２ｂとは、矩形状のデルタ状隔壁に沿って形成され、第１の透明電極４２ｃは、第２の突出電極と直交し、隣接した放電セルに跨って配置される。
【００３７】
一方、維持電極４４Ｚは、図７に示したように、維持電極ライン４４ａ、第２の突出電極４４ｂ及び第２の透明電極４４ｃからなっている。なお、維持電極４４Ｚの構造は、走査電極４２Ｙの構造と同様である。この維持電極４４Ｚの第２の突出電極４４ｂは隔壁の短辺の一つおきに設けられた走査電極ラインの第１の突出電極４２ｂの間の隔壁に沿って配置されている。
【００３８】
維持電極ライン４４ａは、走査電極ライン４２ａと交互にデルタ状隔壁４６の長軸方向Ｖに沿って形成され、第２の突出電極４４ｂが、維持電極ラインを中心に両方向に交互に突出して形成され、第２の透明電極４４ｃが、第２の突出電極４４ｂに直角に連結され、隣接した放電セルに跨って形成される。第２の透明電極４４ｃの先端のそれぞれには、相対的に広く形成された先端側羽根部Ａ、Ａ’が設けられているのはいうまでもない。
【００３９】
従って、本発明の第１の実施形態によるＰＤＰの電極構造において、放電セルＴは、一つのデルタ状隔壁に走査電極ライン４２ａが配置されると、これに対向する他のデルタ状隔壁に維持電極ライン４４ａが配置される。また、走査電極ライン４２ａと維持電極ライン４４ａに直交するデルタ状隔壁に沿って第１の突出電極４２ｂと第２の突出電極４４ｂがそれぞれ配置される。なお、第１の透明電極４２ｃが放電セルＴの中央部まで突出し、この対向位置には第２の透明電極４４ｃが同様に放電セルＴの中央部まで突出している。それらの先端部は接触していない。
【００４０】
走査電極ライン４２ａ、維持電極ライン４４ａ、第１の突出電極４２ｂ及び第２の突出電極４４ｂのそれぞれは、相対的に小幅で、銅（Ｃｕ）、クロム（Ｃｒ）または銀（Ａｇ）のいずれかで形成される。
【００４１】
第１の透明電極４２ｃと第２の透明電極４４ｃの幅を従来の透明電極の幅より狭く形成する。すなわち、放電面積を小さくし、消費電力を減少させている。また、先端部に先端側羽根部Ａ、Ａ’を設けてセルの幅方向に延ばしているので、放電効率が向上する。第１の透明電極４２ｃと第２の透明電極４４ｃは、可視光線の透過率の優れたＩＴＯで形成されるのが好ましい。
【００４２】
このような走査電極４２Ｙには、パネル走査のための走査信号と放電維持のための維持信号とが主に供給され、また、維持電極４４Ｚには維持信号が主に供給される。
【００４３】
上記のように形成された走査電極４２Ｙ及び維持電極４４Ｚ上にこれらを覆うように上部誘電体層５４と保護膜５６が順次に形成される。なお、上部誘電体層５４にはプラズマ放電時に発生した壁電荷が蓄積される。保護膜５６は、プラズマ放電時に発生したスパッタリングによる上部誘電体層５４の損傷を防止すると共に、二次電子の放出効果を向上させる機能をする。保護膜５６としては、通常、酸化マグネシウム（ＭｇＯ）が用いられている。
【００４４】
アドレス電極４８Ｘは、図８に示したように、第１の突出電極４２ｂ又は第２の突出電極４４ｂと並んで下部基板５０上に形成され、デルタ状隔壁の部分では幅を狭くし、放電セルの部分では広幅（４８Ａ）としている。前記のように、縦方向（図の状態で）に並ぶセルが横方向に半分の長さだけずらして配置しているので、アドレス電極は隔壁の上とセルの上を交互に通るようになっている。そのセルの部分で幅広にされている。
【００４５】
このようなアドレス電極４８Ｘには、走査電極４２Ｙ及び維持電極４４Ｚと直交する方向に形成され、ディスプレイされる放電セルを選択するためのデータ電圧が供給される。
【００４６】
アドレス電極４８Ｘの上に、下部誘電体層５２が形成され、この下部誘電体層５２上に各放電セルを分離するためのデルタ状隔壁４６が形成される。このデルタ状隔壁４６は、アドレス電極４８Ｘと並んで形成され、放電により生成された紫外線及び可視光線の隣接した放電セルへの漏れを防止する作用をする。
【００４７】
下部誘電体層５２及びデルタ状隔壁４６の表面には蛍光体５８が塗布される。蛍光体５８は、プラズマ放電時に発生した紫外線により励起され、赤色、緑色、青色のいずれかの可視光線を発生させる。
【００４８】
このような本発明の第１の実施形態に関わるＰＤＰの電極構造による動作は、アドレス期間中に走査電極４２Ｙに走査パルスＳＰが供給されると共に、アドレス電極４８ＸにデータパルスＤＰが供給され、双方が交差するセルでアドレスの放電が行われる。
【００４９】
なお、アドレス電極４８Ｘは、放電セルの部分において電極幅が広がっているため、アドレスの放電時に生成する壁電荷の量が増加する。これによって、アドレス放電に必要なアドレス電圧を低くすることができる。このように、アドレス放電で生成された壁電荷は、他の放電セルのアドレス期間中に維持される。
【００５０】
例えば、図９に示したように、アドレス期間中に第１の走査電極に走査パルスＳＰが供給され、同時に第１のアドレス電極にデータパルスＤＰが供給されると、第１の放電セルＰ１１で放電が発生する。同様に、第２の走査電極Ｙ２に走査パルスＳＰが供給される時、第２のアドレス電極Ｘ２にデータパルスＤＰが供給されると、第２の放電セルＰ２２で放電が発生する。このような方法にて、アドレス期間中にアドレス放電により放電セルが選択される。
【００５１】
このように、アドレス放電により選択された放電セルでは、当該走査電極と維持電極との間に電圧を交互に加えると維持放電が発生する。即ち、走査電極ラインと維持電極ラインに放電電圧が印加されると、放電電圧は、第１及び第２の突出電極を経由して第１及び第２の透明電極に印加される。よって、第１及び第２の透明電極の間に維持放電が発生する。なお、放電空間では、放電ガスが励起された後、遷移の過程において、紫外線が発生して蛍光体を励起させることにより外部に可視光が透過される。
【００５２】
ストライプ型隔壁構造の放電セルでは、長軸と短軸との比が３：１であるのに対し、デルタ状隔壁構造の放電セルでは、長軸と短軸との比が４：３である。よって、下部蛍光体から発生した可視光線が隔壁にぶつかた時、その可視光線が消失されず外部に良く透過されるため、可視光線の利用効率が増加して放電効率が向上する。なお、放電効率は、通常、放電電極の長さが長くなるほど増加する。
【００５３】
従来のデルタ状隔壁構造の放電セルでは、短軸方向への放電が発生するが、短軸方向への放電においては、放電電極の長さの増加に限界があった。一方、本発明の第１の実施形態のようなデルタ状隔壁構造の放電セルでは、放電電極、すなわち、透明電極が放電セルの短軸から中央部で長軸方向に両側に跨って形成されるため、長軸方向への維持放電が発生し、放電効率が向上する。
【００５４】
本実施形態の第１及び第２の透明電極４２ｃ、４４ｃは、セルの中央部に延びている第１及び第２の突出電極４２ｂ、４４ｂの先端に短軸方向Ｗへ伸びる中央羽根部Ｂを備えている。これについて図１０を参照して説明する。
【００５５】
図１０は、本発明の好適な第２の実施形態によるプラズマディスプレイパネルの電極構造を示す図である。本発明の第２の実施形態によるＰＤＰの電極構造では、走査電極ライン４２ａ、維持電極ライン４４ａ、第１の突出電極４２ｂ及び第２の突出電極４４ｂは、本発明の第１の実施形態によるＰＤＰの電極構造と同様であるが、第１の透明電極４２ｃ及び第２の透明電極４４ｃのみが相違しているので、これについて説明する。
【００５６】
第１及び第２の透明電極４２ｃ、４４ｃは、先端からデルタ状隔壁４６の短軸方向Ｗに伸びて形成される先端側羽根部Ａ、Ａ’の他にさらに、デルタ状隔壁４６の位置で短軸方向Ｗに伸びる中央羽根部Ｂが形成されている。すなわち、本発明の第２の実施形態による第１及び第２の透明電極４２ｃ、４４ｂは、隔壁の短軸に沿って中央羽根部Ｂを形成させ、その中央羽根部Ｂの両側にセル中央に向けて延ばしている点が、本発明の第１の実施形態による第１及び第２の透明電極の構造とは異なっている。
【００５７】
従って、本発明の第２の実施形態による第１及び第２の透明電極４２ｃ、４４ｃは、先端側羽根部Ａ、Ａ’及び中央羽根部Ｂの部分が他の部分より電極幅が広く形成される。
【００５８】
中央羽根部Ｂは、先端側羽根部Ａ、Ａ’から開始した放電が、放電セル内で効率良く行われるように助ける機能をする。即ち、放電セルの中央部に位置した先端側羽根部Ａ、Ａ’から開始した放電は、デルタ状隔壁の長軸方向Ｖに発生し、このとき、中央羽根部Ｂにより短軸方向にも放電が広く発生し、それだけ放電が効率良く行われるようになる。
【００５９】
上記二つの実施形態では、第１及び第２の透明電極４２ｃ、４４ｃは基本的に細長い形状であったが、幅広く矩形状に形成することもできる。その例を図１１及び図１２に示す。図１１は、本発明の好適な第３の実施形態によるプラズマディスプレイパネルの電極構造を示す図である。図１２は、図１１に示したプラズマディスプレイパネルにおける上部基板の電極構造を示す図である。
【００６０】
本発明の第３の実施形態によるＰＤＰの電極構造において第１及び第２の透明電極４２ｃ、４４ｃは、第１及び第２の突出電極４２ｂ、４４ｂにそれぞれ連結され、デルタ状隔壁４６を中心に隣接した放電セルに跨って矩形状に幅広く形成されている。なお、第１及び第２の透明電極４２ｃ、４４ｃは、放電セルの幅に近くするように、可能な限り広く形成するのが好ましい。
【００６１】
従って、本発明の第３の実施形態によるＰＤＰの電極構造では、透明電極を長軸方向に形成させて放電効率を向上させるメリットを有する。
【００６２】
しかし、透明電極の幅が広くなってほぼ全ての可視光線が透明電極を透過するようになる。透明電極とはいえ、幾分光を吸収するので、それだけ輝度が低下する。このような輝度の低下を解決するためのＰＤＰの電極構造を図１３及び図１４に示している。
【００６３】
図１３に示したように、本発明の第４の実施形態によるＰＤＰの電極構造では、第１の透明電極４２ｃ及び第２の透明電極４４ｃに、矩形状のホール５８が多数形成させている。
【００６４】
図１４に示したように、本発明の第５の実施形態によるＰＤＰの電極構造では、第１及び第２の透明電極４２ｃ、４４ｃに、楕円形状のホール５９が多数形成されている。なお、楕円形の代わりに三角形状のホールを形成しても良く、円錐形、六角形などのいずれかの形状であっても良い。
【００６５】
図１３及び図１４に示したように、第１及び第２の透明電極４２ｃ、４４ｃに、様々な形状のホール５７、５９を多数形成することにより、電極面積が減って輝度が増加し、放電効率が向上する。また、放電に必要な放電電流の量が減って消費電力も減少する。その一方、放電はより均一になる。
【００６６】
このように、本発明では、第１及び第２の透明電極４２ｃ、４４ｃを長軸方向に形成させる。第１及び第２の透明電極４２ｃ、４４ｃには先端を直交する方向に伸ばした先端側羽根部Ａ、Ａ’を設けることもでき、先端側羽根部Ａ、Ａ’の他に隔壁の位置で短軸方向Ｗに伸びる中央羽根部Ｂをもさらに設けることもできる。
【００６７】
また、第１及び第２の透明電極４２ｃ、４４ｃは、放電セルの幅に近接するように、その全体を幅広くした矩形状に形成することもできる。なお、第１及び第２の透明電極４２ｃ、４４ｃには、六角形、円形または他の形状のホールを多数形成することもできる。
【００６８】
本発明において、第１及び第２の透明電極４２ｃ、４４ｃは、ＩＴＯで形成することができる。
【００６９】
本発明において、走査電極ライン４２ａ、維持電極ライン４４ａ、第１及び第２の突出電極４２ｂ、４４ｂは、銅（Ｃｕ）、クロム（Ｃｒ）または銀（Ａｇ）のいずれかで形成することもできる。
【００７０】
【発明の効果】
以上のように、本発明のプラズマディスプレイパネルによれば、維持放電が長軸方向に行われるため、放電空間を拡大させると共に、放電電極の面積を減少させて消費電力を減少することができ、放出される可視光線が増加し、放電効率が向上するという効果を奏する。
【図面の簡単な説明】
【図１】  従来のストライプ型隔壁の構造を有するプラズマディスプレイパネルを示す図である。
【図２】  従来のウェル型隔壁の構造を有するプラズマディスプレイパネルを示す図である。
【図３】  従来のデルタ状隔壁の構造を有するプラズマディスプレイパネルを示す図である。
【図４】  図３に示したプラズマディスプレイパネルの電極構造を示す図である。
【図５】  本発明の好適な第１の実施形態によるプラズマディスプレイパネルを示す断面図である。
【図６】  図５に示したプラズマディスプレイパネルの電極構造を示す図である。
【図７】  図５に示したプラズマディスプレイパネルにおける上部基板の電極構造を示す図である。
【図８】  図５に示したプラズマディスプレイパネルにおける下部基板の電極構造を示す図である。
【図９】  図５に示したプラズマディスプレイパネルの駆動方法を説明する図である。
【図１０】  本発明の好適な第２の実施形態によるプラズマディスプレイパネルの電極構造を示す図である。
【図１１】  本発明の好適な第３の実施形態によるプラズマディスプレイパネルの電極構造を示す図である。
【図１２】  図１１に示したプラズマディスプレイパネルにおける上部基板の電極構造を示す図である。
【図１３】  本発明の好適な第４の実施形態によるプラズマディスプレイパネルの電極構造を示す図である。
【図１４】  本発明の好適な第５の実施形態によるプラズマディスプレイパネルの電極構造を示す図である。
【符号の説明】
４０ 上部基板
４２Ｙ 走査電極
４２ａ 走査電極ライン
４２ｂ 第１の突出電極
４２ｃ 第１の透明電極
４４Ｚ 維持電極
４４ａ 維持電極ライン
４４ｂ 第２の突出電極
４４ｃ 第２の透明電極
４６ デルタ状隔壁
４８Ｘ アドレス電極
５０ 下部基板
５２ 下部誘電体層
５４ 上部誘電体層
５６ 保護膜
５８ 蛍光体
【図１】
0003996489.tif 000002
【図２】
0003996489.tif 000003
【図３】
0003996489.tif 000004
【図４】
0003996489.tif 000005
【図５】
0003996489.tif 000006
【図６】
0003996489.tif 000007
【図７】
0003996489.tif 000008
【図８】
0003996489.tif 000009
【図９】
0003996489.tif 000010
【図１０】
0003996489.tif 000011
【図１１】
0003996489.tif 000012
【図１２】
0003996489.tif 000013
【図１３】
0003996489.tif 000014
【図１４】
0003996489.tif 000015